(57)【要約】【課題】画像品質が高く、コストが安い表示装置を提供する。【解決手段】千鳥状に配列された複数の発光素子２２Ｒ，２２Ｇ，２２Ｂからなる表示体３を有し、複数の発光素子を点灯または非点灯できる表示手段２と、表示手段２に対し、所定の表示を行わせる制御手段２１とを備え、複数の発光素子は、赤色発光素子２２Ｒと、青色発光素子２２Ｂと、緑色発光素子２２Ｇとからなり、制御手段２１は表示手段２に対して、表示部分２３の周囲に位置する各発光素子２２Ｒ，２２Ｂ，２２の組合せを、時分割にて変更し、点灯させる。【選択図】図３
2005352408.tif 000002
【特許請求の範囲】
【請求項１】
千鳥状に配列された複数の発光素子からなる表示体を有し、前記複数の発光素子を点灯または非点灯できる表示手段と、前記表示手段に対し、所定の表示を行わせる制御手段とを備え、前記複数の発光素子は、赤色発光素子と、青色発光素子と、緑色発光素子とからなり、前記制御手段は前記表示手段に対して、表示部分の周囲に位置する各発光素子の組合せを、時分割にて変更し、点灯させる事を特徴とする表示装置。
【請求項２】
所定の前記発光素子と、該発光素子と互いに異なる色を発光する他の２つの前記発光素子を組合せ、点灯させ、前記所定の発光素子を中心として、前記組合された発光素子を時分割にて変更し点灯させる様に、前記制御手段は制御する事を特徴とする請求項１の表示装置。
【請求項３】
行列状に配列された複数の発光素子群からなる表示体を有し、前記発光素子群を点灯または非点灯できる表示手段と、前記表示手段に対し、所定の表示を行わせる制御手段とを備え、前記発光素子群は、赤色発光素子と、青色発光素子と、緑色発光素子とからなり、前記制御手段は前記表示手段に対して、所定の発光素子群から選ばれた第１発光素子と、前記発光素子群に近接する発光素子群から選ばれ、前記第１発光素子とは発光色が異なる第２発光素子と、近接する別の発光素子群から選ばれ、前記第１発光素子および前記第２発光素子とは発光色が異なる第３発光素子とを組合せ、表示部分の周囲に位置する前記組合された発光素子を時分割にて変更し、点灯させる事を特徴とする表示装置。
【請求項４】
行列状に配列された複数の発光素子群からなる表示体を有し、前記発光素子群を点灯または非点灯できる表示手段と、前記表示手段に対し、所定の表示を行なわせる制御手段とを備え、前記発光素子群は、赤色発光素子と、青色発光素子と、緑色発光素子とからなり、前記制御手段は前記表示手段に対して、所定の発光素子群から選ばれ、互いに発光色が異なる第１発光素子および第２発光素子と、前記発光素子群に近接する発光素子群から選ばれ、前記第１発光素子および前記第２発光素子とは発光色が異なる第３発光素子とを組合せ、表示部分の周囲に位置する前記組合された発光素子を時分割にて変更し、点灯させる事を特徴とする表示装置。
【請求項５】
行列状に配列された複数の発光素子群からなる表示体を有し、前記発光素子群を点灯または非点灯できる表示手段と、前記表示手段に対し、所定の表示を行わせる制御手段とを備え、前記発光素子群は、赤色発光素子と、青色発光素子と、緑色発光素子とからなり、前記制御手段は前記表示手段に対して、所定の発光素子群から選ばれた第１発光素子と、前記発光素子群に近接する発光素子群から選ばれ、前記第１発光素子とは発光色が異なり、かつ互いに発光色が異なる第２発光素子および第３発光素子とを組合せ、表示部分の周囲に位置する前記組合された発光素子を時分割にて変更し、点灯させる事を特徴とする表示装置。
【発明の詳細な説明】
【技術分野】
【０００１】
本発明は表示装置に関する。
【背景技術】
【０００２】
従来、この種の装置は例えば、特許文献１に示されている。この特許文献１を示す図１５において、格子状の桟１００が形成され、桟１００の交点にＬＥＤ集合ランプ１０１が設けられている。ＬＥＤ集合ランプ１０１は、赤色発光ダイオードＲと、青色発光ダイオードＢと、緑色発光ダイオードＧとからなる。
【特許文献１】特開平１１−９５７１５号公報
【発明の開示】
【発明が解決しようとする課題】
【０００３】
上記装置の桟１００において、格子のピッチは１００ｍｍである。従って、ＬＥＤ集合ランプ１０１は、縦横共に、１００ｍｍのピッチで配置されている。この様に、配列ピッチが粗であるので、上記装置の画像品質は低い、第１の欠点がある。即ち、各表示部分１０２は、各ＬＥＤ集合ランプ１０１毎にしか、存在しない。
【０００４】
この欠点を解消するために、本発明者はＬＥＤ集合ランプ１０１の配列ピッチを５０ｍｍと、小さくした。しかし、ＬＥＤ集合ランプ１０１の総数が従来の４倍も必要となり、コスト高になる、第２の欠点がある。そこで、本発明はこの様な従来の欠点を考慮し、画像品質が高く、コストが安い表示装置を提供する。
【課題を解決するための手段】
【０００５】
上記課題を解決するために、請求項１の本発明では、千鳥状に配列された複数の発光素子からなる表示体を有し、複数の発光素子を点灯または非点灯できる表示手段と、表示手段に対し、所定の表示を行わせる制御手段とを備え、複数の発光素子は、赤色発光素子と、青色発光素子と、緑色発光素子とからなり、制御手段は表示手段に対して、表示部分の周囲に位置する各発光素子の組合せを、時分割にて変更し、点灯させる。
請求項２の本発明では、所定の発光素子と、該発光素子と互いに異なる色を発光する他の２つの発光素子を組合せ、点灯させ、所定の発光素子を中心として、前記組合された発光素子を時分割にて変更し点灯させる様に、制御手段は制御する。
請求項３の本発明では、行列状に配列された複数の発光素子群からなる表示体を有し、発光素子群を点灯または非点灯できる表示手段と、表示手段に対し、所定の表示を行わせる制御手段とを備え、発光素子群は、赤色発光素子と、青色発光素子と、緑色発光素子とからなり、制御手段は表示手段に対して、所定の発光素子群から選ばれた第１発光素子と、前記発光素子群に近接する発光素子群から選ばれ、第１発光素子とは発光色が異なる第２発光素子と、近接する別の発光素子群から選ばれ、第１発光素子および第２発光素子とは発光色が異なる第３発光素子とを組合せ、表示部分の周囲に位置する前記組合された発光素子を時分割にて変更し、点灯させる。
請求項４の本発明では、行列状に配列された複数の発光素子群からなる表示体を有し、発光素子群を点灯または非点灯できる表示手段と、表示手段に対し、所定の表示を行なわせる制御手段とを備え、発光素子群は、赤色発光素子と、青色発光素子と、緑色発光素子とからなり、制御手段は表示手段に対して、所定の発光素子群から選ばれ、互いに発光色が異なる第１発光素子および第２発光素子と、発光素子群に近接する発光素子群から選ばれ、第１発光素子および第２発光素子とは発光色が異なる第３発光素子とを組合せ、表示部分の周囲に位置する前記組合された発光素子を時分割にて変更し、点灯させる。
請求項５の本発明では、行列状に配列された複数の発光素子群からなる表示体を有し、発光素子群を点灯または非点灯できる表示手段と、表示手段に対し、所定の表示を行わせる制御手段とを備え、発光素子群は、赤色発光素子と、青色発光素子と、緑色発光素子とからなり、制御手段は表示手段に対して、所定の発光素子群から選ばれた第１発光素子と、前記発光素子群に近接する発光素子群から選ばれ、第１発光素子とは発光色が異なり、かつ互いに発光色が異なる第２発光素子および第３発光素子とを組合せ、表示部分の周囲に位置する前記組合された発光素子を時分割にて変更し、点灯させる。
【発明の効果】
【０００６】
請求項１の構成の様に、表示部分の周囲に位置する各発光素子の組合せを、時分割にて変更し点灯させるので、発光素子の周辺に、複数の表示部分が表示され、解像度が増え、画像品質が向上する。
【０００７】
請求項２の構成の様に、所定の発光素子の近傍に位置する発光素子を中心として、組合された発光素子を時分割にて変更する。その結果、時分割された発光素子は規則性を持って変更されるので、１個の発光素子に２つ以上のデータが供給されることなく、各発光素子は効率よく時分割され、点灯される。
【０００８】
請求項３の構成の様に、所定の発光素子群に近接する表示部分の周囲に位置する各発光素子の組合せを、時分割にて変更し点灯させる。その結果、発光素子群の周辺に、複数の表示部分が表示され、解像度が増える事により、画像品質が向上する。
【０００９】
請求項４の構成の様に、所定の発光素子群から、第１発光素子および第２発光素子を選び、近接する発光素子群から、第３発光素子を選び、複数の表示部分を設けるので、この表示装置の観察者に対し、好ましい表示色を提供できる。
【００１０】
請求項５の構成の様に、所定の発光素子群から第１発光素子を選び、近接する発光素子群から、第２発光素子および第３発光素子を選ぶ。そして、各発光素子の組合せを時分割にて変更し、点灯させるので、発光素子群の周辺に、複数の表示部分が表示され、解像度が増える。また、発光素子群の全数は従来より増えることがないので、コストが安い表示装置を提供できる。
【発明を実施するための最良の形態】
【００１１】
以下に、図１ないし図３に従い、本発明を実施するための最良の形態１に係る表示装置１を説明する。図１は、表示装置１のブロック図である。図２は、表示装置１の表示手段２における、メッセージ表示の１例を示す。図３は、図２のＡ部詳細図であり、第１状態を示す。
【００１２】
これらの図において、１個の表示体３を構成する回路基板（図示せず）の上には、３２本の行電極と、４８本の列電極が形成されている。図３の第Ｍ行において、第Ｎ列と第（Ｎ＋６）列に位置する赤色発光素子２２Ｒは例えば、赤色発光ダイオード等からなる。上記赤色発光ダイオード２２Ｒのアノードは各々、第Ｎ列と第（Ｎ＋６）列の列電極に接続されている。上記赤色発光ダイオード２２Ｒのカソードは共に、第Ｍ行の行電極に接続されている。
【００１３】
第Ｍ行において、第（Ｎ＋２）列と第（Ｎ＋８）列に位置する緑色発光素子２２Ｇは例えば、緑色発光ダイオード等からなる。上記緑色発光素子２２Ｇのアノードは各々、第（Ｎ＋２）列と第（Ｎ＋８）列の列電極に接続されている。上記緑色発光素子２２Ｇのカソードは共に、第Ｍ行の行電極に接続されている。
【００１４】
第Ｍ行において、第（Ｎ＋４）列と第（Ｎ＋１０）列に位置する青色発光素子２２Ｂは例えば、青色発光ダイオード等からなる。上記青色発光素子２２Ｂのアノードは各々、第（Ｎ＋４）列と第（Ｎ＋１０）列の列電極に接続されている。上記青色発光素子２２Ｂのカソードは共に、第Ｍ行の行電極に接続されている。
【００１５】
第（Ｍ＋１）行において、第（Ｎ＋３）列と第（Ｎ＋９）列に位置する赤色発光素子２２Ｒは例えば、赤色発光ダイオード等からなる。上記赤色発光素子２２Ｒのアノードは各々第（Ｎ＋３）列と第（Ｎ＋９）列の列電極に接続されている。上記赤色発光素子２２Ｒのカソードは共に、第（Ｍ＋１）行の行電極に接続されている。
【００１６】
第（Ｍ＋１）行において、第（Ｎ＋５）列に位置する緑色発光素子２２Ｇは例えば、緑色発光ダイオード等からなる。上記緑色発光素子２２Ｇのアノードは、第（Ｎ＋５）列の列電極に接続されている。上記緑色発光素子２２Ｇのカソードは、第（Ｍ＋１）行の行電極に接続されている。
【００１７】
第（Ｍ＋１）行において、第（Ｎ＋１）列と第（Ｎ＋７）列に位置する青色発光素子２２Ｂは例えば、青色発光ダイオード等からなる。上記青色発光素子２２Ｂのアノードは各々第（Ｎ＋１）列と第（Ｎ＋７）列の列電極に接続されている。上記青色発光素子２２Ｂのカソードは共に、第（Ｍ＋１）行の行電極に接続されている。
【００１８】
第（Ｍ＋２）行と第（Ｍ＋４）行などにおいて、赤色発光素子２２Ｒと、緑色発光素子２２Ｇと、青色発光素子２２Ｂは、第Ｍ行と同一の、配置および配線がなされている。第（Ｍ＋３）行などにおいて、赤色発光素子２２Ｒと、緑色発光素子２２Ｇと、青色発光素子２２Ｂは、第（Ｍ＋１）行と同一の配置および配線がなされている。上記部品により、表示体３は構成されている。
【００１９】
３２本の行電極は各々、行駆動回路（ＩＣ等からなるドライバ）の出力端子に接続されている。４８本の列電極は各々、列駆動回路（ＩＣ等からなるドライバ）の出力端子に接続されている。上記行駆動回路と上記列駆動回路とにより、ドライバＤ１（図１参照）が構成されている。
【００２０】
表示体４は表示体３と同一の構成であり、表示体３の左側に近接して配置されている。表示体５は表示体３と同一の構成であり、表示体４の左側に近接して配置されている。表示体６は表示体３と同一の構成であり、表示体５の左側に近接して配置されている。表示体７は表示体３と同一の構成であり、表示体６の左側に近接して配置されている。表示体８は表示体３と同一の構成であり、表示体７の左側に近接して配置されている。この様にして、表示体３，４，５，６，７，８は一直線状に配置されている。
【００２１】
ドライバＤ２，Ｄ３，Ｄ４，Ｄ５，Ｄ６は共に、ドライバＤ１と同一の構成である。各ドライバＤ２，Ｄ３，Ｄ４，Ｄ５，Ｄ６は、各表示体４，５，６，７，８を駆動する様に設けられている。以上の表示体３，４，５，６，７，８と、ドライバＤ１，Ｄ２，Ｄ３，Ｄ４，Ｄ５，Ｄ６等により、表示手段２は構成されている。
【００２２】
ＩＣカード９は、パーソナルコンピュータ等により、コードデータ等が書き込まれたものである。カード制御回路１０は、入力されたコードデータを、Ｉ／Ｏポート１１に対し入力するものである。
【００２３】
リモコン１２は例えば、テンキー等の入力部と、変換部と、発光部（共に図示せず）等からなる。リモコン１２は、使用者（ユーザ）により、入力部に所定の入力がなされるとその入力に従う入力信号を重畳した赤外線信号を出力するものである。
【００２４】
リモコン制御回路１３は例えば、受光部と、変換部と、増幅部と、フィルタなどからなる。受光部は、リモコン１２から放射された赤外線信号を受光電流に変換する。変換部は受光電流から、必要な信号を抽出する。上記信号は増幅部により増幅され、フィルタによフィルタリングされ、入力信号として、Ｉ／Ｏポート１１に対し、与えられる。この様にして、リモコン１２はリモコン制御回路１３に対し、入力信号を出力するものである。
【００２５】
これらのカード制御回路１０と、リモコン制御回路１３等により、入力手段１４が構成される。前述した様に、入力手段１４を構成するカード制御回路１０には、コードデータ（即ち、メッセージ情報）が入力される。また、必要に応じて、リモコン１２を介して、入力手段１４を構成するリモコン制御回路１３に、メッセージ情報が入力されても良い。
【００２６】
制御部１６は例えばＣＰＵ等からなる。ＲＯＭ１７はリードオンリーメモリであり、制御部１６の制御プログラムを記憶しており、制御部１６に接続されている。また、ＲＯＭ１７は、外字データも記憶している。
【００２７】
Ｉ／Ｏポート１１は制御部１６に接続され、カード制御回路１０に接続され、リモコン制御回路１３に接続されている。フォントメモリ１８は、各文字のコードデータに対応するフォントデータを記憶しており、制御部１６に接続されている。
【００２８】
ＲＡＭ１９はランダムアクセスメモリであり、制御部１６に接続されている。また、ＲＡＭ１９は、データを加工するためのワークエリアを有している。表示制御部２０はＩＣ等からなり、制御部１６に接続され、表示手段２にも接続されている。表示制御部２０は表示手段２に対して、クロック信号ＣＫと、ラッチ信号ＬＴと、データ信号ｄと、走査信号Ｓを出力する。
【００２９】
これらのＩ／Ｏポー１１と、制御部１６と、ＲＯＭ１７と、フォントロム１８と、ＲＡＭ１９と、表示制御部２０等により、制御手段２１が構成されている。これらの制御手段２１と、表示手段２と、入力手段１４等により、表示装置１は構成されている。
【００３０】
以下に、この表示装置１の特徴をまとめる。図３に示す様に、千鳥状に配列された複数の発光素子２２Ｒ，２２Ｇ，２２Ｂからなる表示体３，４，５，６，７，８を有し、複数の発光素子２２Ｒ，２２Ｇ，２２Ｂを点灯または非点灯できる表示手段２が設けられている。
【００３１】
制御手段２１は表示手段２に対して、所定の表示（例えば、図２を参照）を行なわせるものである。前記複数の発光素子は、赤色発光素子２２Ｒと、青色発光素子２２Ｂと、緑色発光素子２２Ｇとからなる。
【００３２】
次に、図１ないし図８に従い、表示装置１の動作を説明する。図４と図５と図６と図７と図８は、共に図２のＡ部詳細図であり、各々、第２状態と第３状態と第４状態と第５状態と第６状態を示す。
【００３３】
例えば、ユーザがリモコン１２の操作部において、１を押し、０を押したとする。この時、「メッセージ表示モード」が選択される。リモコン１２は、リモコン制御回路１３とＩ／Ｏポート１１を介して、制御部１６に対し、所定の入力信号ａを出力する。この時、制御部１６は入力信号ａに従って、フォントロム１８から、所定のフォントデータの組合せ（即ち、メッセージ情報）を取り込む。
【００３４】
制御部１６は上記メッセージ情報に従って、ＲＡＭ１９のワークエリアにおいて、データ信号ｄを作成させ、表示制御部２０に対し、データ信号ｄを出力させる。
【００３５】
その後、表示制御部２０は、ドライバＤ１とＤ２とＤ３とＤ４とＤ５とＤ６に対して各々データ信号ｄ１，ｄ２，ｄ３，ｄ４，ｄ５，ｄ６を出力する。また、表示制御部２０は、ドライバＤ１とＤ２とＤ３とＤ４とＤ５とＤ６に対して、各々、クロック信号ＣＫと、走査信号Ｓ等を出力する。
【００３６】
例えば図３において、ドライバＤ１を構成する行駆動回路（図示せず）に対し、クロック信号ＣＫと走査信号Ｓが入力される。
【００３７】
その結果、上記行駆動回路の出力端子に各々接続された第Ｍ行の行電極および第（Ｍ＋１）行の行電極は、時刻Ｔ１から時刻Ｔ４までの３ｔの間、接地電圧に接続される。また、この間、他の行電極は接地電圧に接続されない。
【００３８】
この時、ドライバＤ１を構成する列駆動回路には、データ信号ｄ１（シリアルデータ）とクロック信号ＣＫ等が入力されている。データ信号ｄ１は、データｄ１−１と、データｄ１−２と、データｄ１−３と、データｄ１−４と、データｄ１−５と、データｄ１−６等により構成されている。
【００３９】
時刻Ｔ１から時刻Ｔ２までの時間ｔの間、上記列駆動回路は、第１列〜第４８列の列電極に対して、シリアルデータｄ１−１をパラレルに変換したパラレルデータを出力する。例えば、上記列駆動回路は、第Ｎ列〜第（Ｎ＋１０）列の列電極に対し、０，０，０，１，１，１，０，０，０，０，０のパラレルデータを出力した、とする。
【００４０】
その結果、表示部分２３の周囲に位置する各発光素子２２Ｒ，２２Ｇ，２２Ｂの組合せのみが、時刻Ｔ１から時刻Ｔ２までの時間ｔの間、点灯する。即ち、第（Ｍ＋１）行で第（Ｎ＋３）列の赤色発光素子２２Ｒと、第（Ｍ＋１）行で第（Ｎ＋５）列の緑色発光素子２２Ｇと、第Ｍ行で第（Ｎ＋４）列の青色発光素子２２Ｂのみが点灯する。この時、表示部分２３が明るく表示される。
【００４１】
次に、図４に示す様に、時刻Ｔ２から時刻Ｔ３までの時間ｔの間、上記列駆動回路は、第１列〜第４８列の列電極に対して、シリアルデータｄ１−２をパラレルに変換したパラレルデータを出力する。例えば、上記列駆動回路は、第Ｎ列〜第（Ｎ＋１０）列の列電極に対し、０，０，１，１，１，０，０，０，０，０，０のパラレルデータを出力した、とする。
【００４２】
その結果、表示部分２４の周囲に位置する各発光素子２２Ｒ，２２Ｇ，２２Ｂの組合せのみが、時刻Ｔ２から時刻Ｔ３までの時間ｔの間、点灯する。
【００４３】
次に、図５に示す様に、時刻Ｔ３から時刻Ｔ４までの時間ｔの間、上記列駆動回路は、第１列〜第４８列の列電極に対して、シリアルデータｄ１−３をパラレルに変換したパラレルデータを出力する。例えば、上記列駆動回路は、第Ｎ列〜第（Ｎ＋１０）列の列電極に対し、０，１，１，１，０，０，０，０，０，０，０のパラレルデータを出力した、とする。
【００４４】
その結果、表示部分２５の周囲に位置する各発光素子２２Ｒ，２２Ｇ，２２Ｂの組合せのみが、時刻Ｔ３から時刻Ｔ４までの時間ｔの間、点灯する。この時、表示部分２５が明るく表示される。
【００４５】
次に、図６において、ドライバＤ１を構成する列駆動回路の各出力端子に接続された第（Ｍ＋１）行の行電極および第（Ｍ＋２）行の行電極は、時刻Ｔ４から時刻Ｔ７までの時間３ｔの間、接地電圧に接続される。
【００４６】
時刻Ｔ４から時刻Ｔ５までの時間ｔの間、上記列駆動回路は、第１列〜第４８列の列電極に対して、シリアルデータｄ１−４をパラレルに変換したパラレルデータを出力する。例えば、上記列駆動回路は、第Ｎ列〜第（Ｎ＋１０）列の列電極に対し、０，１，１，１，０，０，０，０，０，０，０のパラレルデータを出力した、とする。
【００４７】
その結果、表示部分２６の周囲に位置する各発光素子２２Ｒ，２２Ｇ，２２Ｂの組合せのみが、時刻Ｔ４から時刻Ｔ５までの時間ｔの間、点灯する。この時、表示部分２６が明るく表示される。
【００４８】
次に、図７に示す様に、時刻Ｔ５から時刻Ｔ６までの時間ｔの間、上記列駆動回路は、第１列〜第４８列の列電極に対して、シリアルデータｄ１−５をパラレルに変換したパラレルデータを出力する。例えば、上記列駆動回路は、第Ｎ列〜第（Ｎ＋１０）列の列電極に対し、０，０，１，１，１，０，０，０，０，０，０のパラレルデータを出力した、とする。
【００４９】
その結果、表示部分２７の周囲に位置する各発光素子２２Ｒ，２２Ｇ，２２Ｂの組合せのみが、時刻Ｔ５から時刻Ｔまでの時間ｔの間、点灯する。この時、表示部分２７が明るく表示される。
【００５０】
次に、図８に示す様に、時刻Ｔ６から時刻Ｔ７までの時間ｔの間、上記列駆動回路は、第１列〜第４８列の列電極に対して、シリアルデータｄ１−６をパラレルに変換したパラレルデータを出力する。例えば、上記列駆動回路は、第Ｎ列〜第（Ｎ＋１０）列の列電極に対し、０，０，０，１，１，１，０，０，０，０，０のパラレルデータを出力した、とする。
【００５１】
その結果、表示部分２８の周囲に位置する各発光素子２２Ｒ，２２Ｇ，２２Ｂの組合せのみが、時刻Ｔ６から時刻Ｔ７までの時間ｔの間、点灯する。この時、表示部分２８が明るく表示される。この様にして、表示手段２はメッセージ表示、例えば「いらっしゃい」（図２参照）を表示させる。
【００５２】
以下に、上記表示装置１の特徴をまとめる。制御手段２１は表示手段２に対して、表示部分２３，２４，２５，２６，２７，２８の周囲に位置する各発光素子２２Ｒ，２２Ｇ，２２Ｂの組合せを、時分割（時刻Ｔ１〜Ｔ２〜Ｔ３〜Ｔ４〜Ｔ５〜Ｔ６〜Ｔ７）にて変更し、各々、点灯させる。
【００５３】
また、例えば、第（Ｍ＋１）行で第（Ｎ＋３）列に位置する、所定の発光素子２２Ｒとその発光素子２２Ｒに対し、互いに異なる色を発光する他の２つの発光素子２２Ｇ，２２Ｂを組合せ、点灯させる。
【００５４】
そして、所定の発光素子２２Ｒを中心として、前記組合された発光素子２２Ｇ，２２Ｂを時分割にて変更し、点灯させる様に、制御手段２１は制御する。
【００５５】
従来では、１つの表示部分２３を点灯させていた。これに対して、本発明の表示装置１では、発光素子２２Ｒ，２２Ｇ，２２Ｂの総数を変えることなく、表示部分２３，２４，２５，２６，２７，２８の位置を時分割して変更させる。その結果、高密度な画像表示が得られ、従来の６倍の解像度を得ることができる。また、上記説明では、表示装置１はダイナミック駆動される。
【００５６】
次に、図９の模式図（第１状態）に従い、本発明を実施するための最良の形態２に係る表示装置２９を説明する。図９において、複数の発光素子群３０は回路基板上に行列状（例えば、縦に１６行、横に１６列）に配置されている。これらの発光素子群３０と回路基板とにより、表示体３ａが構成されている。
【００５７】
これらの発光素子群３０を駆動するドライバＤ１ａには、表示制御部２０から、クロック信号ＣＫと、データｄ１ａ−１〜ｄ１ａ−１２等が入力される。
【００５８】
各発光素子群３０は、赤色発光素子２２Ｒと、緑色発光素子２２Ｇと、青色発光素子２２Ｂとからなる。各発光素子２２Ｒ，２２Ｇ，２２Ｂのカソードは、共に接地電圧に接続されている。
【００５９】
各発光素子２２Ｒ，２２Ｇ，２２Ｂのアノードは各々、ドライバＤ１ａの出力端子に接続されている。この様に、各発光素子群３０はスタティック駆動される。
【００６０】
表示体４ａ，５ａ，６ａ，７ａ，８ａは表示体３ａと同一構成である。ドライバＤ２ａ，Ｄ３ａ，Ｄ４ａ，Ｄ５ａ，Ｄ６ａはドライバＤ１ａと同一構成である。これらの表示体３ａ〜８ａと、ドライバＤ１ａ〜Ｄ６ａ等により、表示手段２ａが構成されている。
【００６１】
この様に、行列状に配列された複数の発光素子群３０からなる表示体３ａ〜８ａを有し発光素子３０を点灯または非点灯できる表示手段２ａが設けられている。制御手段２１は表示手段２ａに対し、所定の表示を行なわせる。発光素子群３０は、赤色発光素子２２Ｒと、青色発光素子２２Ｂと、緑色発光素子２２Ｇとからなる。
【００６２】
次に、図９と図１０（第２状態を示す）に従い、表示装置２９の動作を説明する。制御手段２１はドライバＤ１ａに対し、時刻Ｔ１から時刻Ｔ２までのｔ時間の間、データｄ１ａ−１を出力する。ドライバＤ１ａは、データｄ１ａ−１をパラレルデータに変換し、各発光素子２２Ｒ，２２Ｇ，２２Ｂへ出力する。
【００６３】
その結果、例えば、所定の発光素子群３０から選ばれた第１発光素子（赤色）３１と、前記発光素子群３０に近接する発光素子群から選ばれ、第１発光素子３１とは発光色が異なる第２発光素子（緑色）３２と、近接する別の発光素子群から選ばれ、第１発光素子３１および第２発光素子３２とは発光色が異なる第３発光素子（青色）３３とが組合され、点灯される。この様に、時刻Ｔ１から時刻Ｔ２までの間、表示部分３４の周囲に位置し、前記組合された発光素子３１，３２，３３は時分割にて、点灯される。
【００６４】
次に、時刻Ｔ２から時刻Ｔ２までのｔ時間の間、ドライバＤ１ａは、データｄ１ａ−２を変換したパラレデータを、各発光素子２２Ｒ，２２Ｇ，２２Ｂへ出力する。その結果、表示部分３５の周囲に位置し、組合された発光素子３１，３２，３６を時分割にて変更し点灯させる。これにより、表示部分３５が明るく表示される。
【００６５】
そして、時刻Ｔ３から時刻Ｔ４までのｔ時間の間、ドライバＤ１ａは、データｄ１ａ−３を変換したパラレデータを、各発光素子２２Ｒ，２２Ｇ，２２Ｂへ出力する。その結果表示部分３７の周囲に位置し、組合された発光素子３１，３６，３８を時分割にて変更し点灯させる。これにより、表示部分３７が明るく表示される。
【００６６】
次に、時刻Ｔ４から時刻Ｔ５までのｔ時間の間、ドライバＤ１ａは、データｄ１ａ−４を変換したパラレデータを、各発光素子２２Ｒ，２２Ｇ，２２Ｂへ出力する。その結果、表示部分３９の周囲に位置し、組合された発光素子３１，３３，３８を時分割にて変更し点灯させる。これにより、表示部分３９が明るく表示される。
【００６７】
次に、図１０に従い、図９の動作の続きを説明する。まず、時刻Ｔ５から時刻Ｔ６までのｔ時間の間、ドライバＤ１ａは、データｄ１ａ−５を変換したパラレルデータを、各発光素子２２Ｒ，２２Ｇ，２２Ｂへ出力する。その結果、表示部分４０の周囲に位置し、組合された発光素子３１，３３，４１を時分割にて変更し点灯させる。これにより、表示部分４０が明るく表示される。
【００６８】
そして、時刻Ｔ６から時刻Ｔ７までのｔ時間の間、ドライバＤ１ａは、データｄ１ａ−６を変換したパラレルデータを、各発光素子２２Ｒ，２２Ｇ，２２Ｂへ出力する。その結果、表示部分４２の周囲に位置し、組合された発光素子３１，４１，４３を時分割にて変更し点灯させる。これにより、表示部分４２が明るく表示される。
【００６９】
次に、時刻Ｔ７から時刻Ｔ８までのｔ時間の間、ドライバＤ１ａは、データｄ１ａ−７を変換したパラレルデータを、各発光素子２２Ｒ，２２Ｇ，２２Ｂへ出力する。その結果、表示部分４４の周囲に位置し、組合された発光素子３１，３２，４５を時分割にて変更し点灯させる。これにより、表示部分４４が明るく表示される。
【００７０】
そして、時刻Ｔ８から時刻Ｔ９までのｔ時間の間、ドライバＤ１ａは、データｄ１ａ−８を変換したパラレルデータを、各発光素子２２Ｒ，２２Ｇ，２２Ｂへ出力する。その結果、表示部分４６の周囲に位置し、組合された発光素子３１，４５，４７を時分割にて変更し点灯させる。これにより、表示部分４６が明るく表示される。
【００７１】
次に、時刻Ｔ９から時刻Ｔ１０までのｔ時間の間、ドライバＤ１ａは、データｄ１ａ−９を変換したパラレルデータを、各発光素子２２Ｒ，２２Ｇ，２２Ｂへ出力する。その結果、表示部分４８の周囲に位置し、組合された発光素子３１，３６，４９を時分割にて変更し点灯させる。これにより、表示部分４８が明るく表示される。
【００７２】
そして、時刻Ｔ１０から時刻Ｔ１１までのｔ時間の間、ドライバＤ１ａは、データｄ１ａ−１０を変換したパラレルデータを、各発光素子２２Ｒ，２２Ｇ，２２Ｂへ出力する。その結果、表示部分５０の周囲に位置し、組合された発光素子３１，３８，５１を時分割にて変更し点灯させる。これにより、表示部分５０が明るく表示される。
【００７３】
次に、時刻Ｔ１１から時刻Ｔ１２までのｔ時間の間、ドライバＤ１ａは、データｄ１ａ−１１を変換したパラレルデータを、各発光素子２２Ｒ，２２Ｇ，２２Ｂへ出力する。その結果、表示部分５２の周囲に位置し、組合された発光素子３１，３８，５３を時分割にて変更し点灯させる。これにより、表示部分５２が明るく表示される。
【００７４】
そして、時刻Ｔ１２から時刻Ｔ１３までのｔ時間の間、ドライバＤ１ａは、データｄ１ａ−１２を変換したパラレルデータを、各発光素子２２Ｒ，２２Ｇ，２２Ｂへ出力する。その結果、表示部分５４の周囲に位置し、組合された発光素子３１，５３，５５を時分割にて変更し点灯させる。これにより、表示部分５４が明るく表示される。
【００７５】
上記特徴をまとめる。表示部分３４，３５，３７，３９，４０，４２，４４，４６，４８，５０，５２，５４の各周囲に位置し、上記組合された発光素子２２Ｒ，２２Ｇ，２２Ｂを時分割（Ｔ１〜Ｔ２〜Ｔ３〜Ｔ４〜Ｔ５〜Ｔ６〜Ｔ７〜Ｔ８〜Ｔ９〜Ｔ１０〜Ｔ１１〜Ｔ１２〜Ｔ１３）にて変更し、点灯させる。
【００７６】
次に、図１１の模式図（第１状態）に従い、本発明を実施するための最良の形態３に係る表示装置５６を説明する。図１１において、複数の発光素子群３０は回路基板上に行列状（例えば、縦に１６行、横に１６列）に配置されている。これらの発光素子群３０と回路基板とにより、表示体３ａが構成されている。
【００７７】
これらの発光素子群３０を駆動するドライバＤ１ｂには、表示制御部２０から、クロック信号ＣＫと、データｄ１ｂ−１〜ｄ１ｂ−８等が入力される。
【００７８】
各発光素子群３０は、赤色発光素子２２Ｒと、緑色発光素子２２Ｇと、青色発光素子２２Ｂとからなる。各発光素子２２Ｒ，２２Ｇ，２２Ｂのカソードは、共に接地電圧に接続されている。
【００７９】
各発光素子２２Ｒ，２２Ｇ，２２Ｂのアノードは各々、ドライバＤ１ｂの出力端子に接続されている。この様に、各発光素子群３０はスタティック駆動される。
【００８０】
表示体４ａ，５ａ，６ａ，７ａ，８ａは表示体３ａと同一構成である。ドライバＤ２ｂ，Ｄ３ｂ，Ｄ４ｂ，Ｄ５ｂ，Ｄ６ｂは、ドライバＤ１ｂと同一構成である。これらの表示体３ａ〜８ａと、ドライバＤ１ｂ〜Ｄ６ｂ等により、表示手段２ｂが構成されている。
【００８１】
この様に、行列状に配列された複数の発光素子群３０からなる表示体３ａ〜８ａを有し発光素子群３０を点灯または非点灯できる表示手段２ｂが設けられている。制御手段２１は表示手段２ｂに対し、所定の表示を行なわせる。発光素子群３０は、赤色発光素子２２Ｒと、青色発光素子２２Ｂと、緑色発光素子２２Ｇとからなる。
【００８２】
次に、図１１ないし図１３に従い、表示装置５６の動作を説明する。図１２は第２状態の模式図、図１３は第３状態の模式図である。制御手段２１はドライバＤ１ｂに対し、時刻Ｔ１から時刻Ｔ２までのｔ時間の間、データｄ１ｂ−１を出力する。ドライバＤ１ｂはデータｄ１ｂ−１をパラレルデータに変換し、各発光素子２２Ｒ，２２Ｇ，２２Ｂへ出力する。
【００８３】
その結果、例えば、所定の発光素子群３０から選ばれ、互いに発光色が異なる第１発光素子（赤色）３１および第２発光素子（青色）５７と、前記発光素子群３０に近接する発光素子群から選ばれ、第１発光素子３１および第２発光素子５７とは発光色が異なる第３発光素子（緑色）３２とが組合され、点灯する。この様に、時刻Ｔ１から時刻Ｔ２までの間表示部分５８の周囲に位置し、前記組合された発光素子３１，５７，３２は時分割にて、点灯する。
【００８４】
次に、時刻Ｔ２から時刻Ｔ３までのｔ時間の間、ドライバＤ１ｂは、データｄ１ｂ−２を転換したパラレルデータを、各発光素子２２Ｒ，２２Ｇ，２２Ｂへ出力する。その結果表示部分５９の周囲に位置し、組合された発光素子３１，５７，３８は時分割にて変更され、点灯される。そして、表示部分５９は明るく表示される。
【００８５】
そして、図１２において、時刻Ｔ３から時刻Ｔ４までのｔ時間の間、ドライバＤ１ｂは、データｄ１ｂ−３を転換したパラレルデータを、各発光素子２２Ｒ，２２Ｇ，２２Ｂへ出力する。その結果、表示部分６０の周囲に位置し、組合された発光素子３１，５７，６１は時分割にて変更され、点灯される。そして、表示部分６０は明るく表示される。
【００８６】
次に、時刻Ｔ４から時刻Ｔ５までのｔ時間の間、ドライバＤ１ｂは、データｄ１ｂ−４を転換したパラレルデータを、各発光素子２２Ｒ，２２Ｇ，２２Ｂへ出力する。その結果表示部分６２の周囲に位置し、組合された発光素子３１，５７，６３は時分割にて変更され、点灯される。そして、表示部分６２は明るく表示される。
【００８７】
そして図１３に従い、図１２の動作の続きを説明する。時刻Ｔ５から時刻Ｔ６までのｔ時間の間、ドライバＤ１ｂは、データｄ１ｂ−５を転換したパラレルデータを、各発光素子２２Ｒ，２２Ｇ，２２Ｂへ出力する。その結果、表示部分６４の周囲に位置し、組合された発光素子３１，５７，４１は時分割にて変更され、点灯される。そして、表示部分６４は明るく表示される。
【００８８】
次に、時刻Ｔ６から時刻Ｔ７までのｔ時間の間、ドライバＤ１ｂは、データｄ１ｂ−６を転換したパラレルデータを、各発光素子２２Ｒ，２２Ｇ，２２Ｂへ出力する。その結果、表示部分６５の周囲に位置し、組合された発光素子３１，５７，６６は時分割にて変更され、点灯される。そして、表示部分６５は明るく表示される。
【００８９】
そして、時刻Ｔ７から時刻Ｔ８までのｔ時間の間、ドライバＤ１ｂは、データｄ１ｂ−７を転換したパラレルデータを、各発光素子２２Ｒ，２２Ｇ，２２Ｂへ出力する。その結果、表示部分６７の周囲に位置し、組合された発光素子３１，５７，４９は時分割にて変更され、点灯される。そして、表示部分６７は明るく表示される。
【００９０】
次に、時刻Ｔ８から時刻Ｔ９までのｔ時間の間、ドライバＤ１ｂは、データｄ１ｂ−８を転換したパラレルデータを、各発光素子２２Ｒ，２２Ｇ，２２Ｂへ出力する。その結果表示部分６８の周囲に位置し、組合された発光素子３１，５７，６９は時分割にて変更され、点灯される。そして、表示部分６８は明るく表示される。
【００９１】
上記特徴をまとめる。表示部分５８，５９，６０，６２，６４，６５，６７，６８の各周囲に位置する様に、組合された発光素子２２Ｒ，２２Ｇ，２２Ｂは、時分割（Ｔ１〜Ｔ２〜Ｔ３〜Ｔ４〜Ｔ５〜Ｔ６〜Ｔ７〜Ｔ８〜Ｔ９）にて変更され、点灯される。
【００９２】
次に、図１４の模式図（第１状態）に従い、本発明を実施するための最良の形態４に係る表示装置７０を説明する。図１４において、複数の発光素子群３０は回路基板上に行列状（例えば、縦に１６行、横に１６列）に配置されている。これらの発光素子群３０と回路基板とにより、表示体３ａが構成されている。
【００９３】
これらの発光素子群３０を駆動するドライバＤ１ｃには、表示制御部２０から、クロック信号ＣＫと、データｄ１ｃ−１〜ｄ１ｃ−８等が入力される。
【００９４】
各発光素子群３０は、赤色発光素子２２Ｒと、緑色発光素子２２Ｇと、青色発光素子２２Ｂとからなる。各発光素子２２Ｒ，２２Ｇ，２２Ｂのカソードは、共に接地電圧に接続されている。
【００９５】
各発光素子２２Ｒ，２２Ｇ，２２Ｂのアノードは各々、ドライバＤ１ｃの出力端子に接続されている。この様に、各発光素子群３０はスタティック駆動される。
【００９６】
表示体４ａ，５ａ，６ａ，７ａ，８ａは表示体３ａと同一構成である。ドライバＤ２ｃ，Ｄ３ｃ，Ｄ４ｃ，Ｄ５ｃ，Ｄ６ｃは、ドライバＤ１ｃと同一構成である。これらの表示体３ａ〜８ａと、ドライバＤ１ｃ〜Ｄ６ｃ等により、表示手段２ｃが構成されている。
【００９７】
この様に、行列状に配列された複数の発光素子群３０からなる表示体３ａ〜８ａを有し発光素子群３０を点灯または非点灯できる表示手段２ｃが設けられている。制御手段２１は表示手段２ｃに対し、所定の表示を行なわせる。発光素子群３０は、赤色発光素子２２Ｒと、青色発光素子２２Ｂと、緑色発光素子２２Ｇとからなる。
【００９８】
次に、図１４に従い、表示装置７０の動作を説明する。制御手段２１はドライバＤ１ｃに対し、時刻Ｔ１から時刻Ｔ２までのｔ時間の間、データｄ１ｃ−１を出力する。ドライバＤ１ｃはデータｄ１ｃ−１をパラレルデータに変換し、各発光素子２２Ｒ，２２Ｇ，２２Ｂへ出力する。
【００９９】
その結果、例えば、所定の発光素子群３０から選ばれた第１発光素子（赤色）３１と、前記発光素子群３０に近接する発光素子群７１から選ばれ、第１発光素子３１とは発光色が異なり、かつ互いに発光色が異なる第２発光素子（緑色）７２および第３発光素子（青色）７３とが組合され、点灯される。
この様に、時刻Ｔ１から時刻Ｔ２までの間、表示部分７４の周囲に位置し、前記組合された発光素子３１，７２，７３は時分割にて、点灯する。そして、表示部分７４が明るく表示される。
次に、制御手段２１はドライバＤ１ｃに対し、時刻Ｔ２から時刻Ｔ３までのｔ時間の間データｄ１ｃ−２を出力する。ドライバＤ１ｃはデータｄ１ｃ−２をパラレルデータに変換し、各発光素子２２Ｒ，２２Ｇ，２２Ｂへ出力する。
【０１００】
その結果、例えば、所定の発光素子群３０から選ばれた第１発光素子（赤色）３１と、前記発光素子群３０に近接する発光素子群７６から選ばれ、第１発光素子３１とは発光色が異なり、かつ互いに発光色が異なる第２発光素子（緑色）７７および第３発光素子（青色）７８とが組合され、点灯される。
この様に、時刻Ｔ２から時刻Ｔまでの間、表示部分７５の周囲に位置し、前記組合された発光素子３１，７７，７８は時分割にて、点灯する。そして、表示部分７５が明るく表示される。
【０１０１】
上記特徴をまとめる。表示部分７４，７５，６０，６２（図１２参照），６４，６５，６７，６８（図１３参照）の各周囲に位置する様に組合された発光素子２２Ｒ，２２Ｇ，２２Ｂは、時分割（Ｔ１〜Ｔ２〜Ｔ３〜Ｔ４〜Ｔ５〜Ｔ６〜Ｔ７〜Ｔ８〜Ｔ９）にて変更され、点灯される。
【図面の簡単な説明】
【０１０２】
【図１】本発明を実施するための最良の形態１に係る表示装置１のブロック図である。
【図２】上記表示装置１の表示手段２におけるケッセージ表示の１例を示す図面である。
【図３】図２のＡ部詳細図であり、第１状態を示す。
【図４】上記Ａ部詳細図であり、第２状態を示す。
【図５】上記Ａ部詳細図であり、第３状態を示す。
【図６】上記Ａ部詳細図であり、第４状態を示す。
【図７】上記Ａ部詳細図であり、第５状態を示す。
【図８】上記Ａ部詳細図であり、第６状態を示す。
【図９】本発明を実施するための最良の形態２に係る表示装置２９の要部詳細図であり、第１状態を示す。
【図１０】上記要部詳細図であり、第２状態を示す。
【図１１】本発明を実施するための最良の形態３に係る表示装置５６の要部詳細図であり、第１状態を示す。
【図１２】上記要部詳細図であり、第２状態を示す。
【図１３】上記要部詳細図であり、第３状態を示す。
【図１４】本発明を実施するための最良の形態４に係る表示装置７０の要部詳細図である。
【図１５】従来の表示装置に用いられる表示手段の要部詳細図である。
【符号の説明】
【０１０３】
２  表示手段
３  表示体
２２Ｂ  青色発光素子
２２Ｇ  緑色発光素子
２２Ｒ  赤色発光素子
２３  表示部分
【図１】
2005352408.tif 000003
【図２】
2005352408.tif 000004
【図３】
2005352408.tif 000005
【図４】
2005352408.tif 000006
【図５】
2005352408.tif 000007
【図６】
2005352408.tif 000008
【図７】
2005352408.tif 000009
【図８】
2005352408.tif 000010
【図９】
2005352408.tif 000011
【図１０】
2005352408.tif 000012
【図１１】
2005352408.tif 000013
【図１２】
2005352408.tif 000014
【図１３】
2005352408.tif 000015
【図１４】
2005352408.tif 000016
【図１５】
2005352408.tif 000017